【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
印刷装置であって、
顔料インクを吐出して、印刷媒体に顔料インクドットを形成する顔料インクノズルと、
染料インクを吐出して、前記印刷媒体に染料インクドットを形成する染料インクノズルと、
前記顔料インクノズルと前記染料インクノズルから吐出されるインク量を制御することによって、前記顔料インクドットと前記染料インクドットのサイズを制御するインク吐出制御部と、
を備え、
前記インク吐出制御部は、
前記顔料インクノズルに前記顔料インクを吐出させて顔料インクドットを形成させた後に、前記染料インクノズルに前記染料インクを吐出させて、前記顔料インクドットと隣り合う染料インクドットを形成させることにより、互いに隣り合う顔料インクのドット列と染料インクのドット列とを形成させる第１の印刷処理と、
前記染料インクノズルに前記染料インクを吐出させて染料インクドットを形成させた後に、前記顔料インクノズルに前記顔料インクを吐出させて、前記染料インクドットと隣り合う顔料インクドットを形成させることにより、互いに隣り合う染料インクのドット列と顔料インクのドット列とを形成させる第２の印刷処理と、
を実行して、前記第１と第２の印刷処理のそれぞれによって形成される第１と第２の印刷画像領域を含む印刷画像を前記印刷媒体に形成し、
前記インク吐出制御部は、前記第１または第２の印刷処理において前記顔料インクまたは前記染料インクのうちのいずれか一方のインクの吐出によって形成される第１種のインクドットと、他方のインクの吐出によって前記第１種のインクドットに隣り合う位置に形成される第２種のインクドットと、について、前記第１または第２の印刷処理において前記印刷媒体に前記第１種のインクドットが形成される前に、前記第１種のインクドットのサイズまたは前記第２種のインクドットのサイズの少なくとも片方に応じて、前記第１種のインクドットのサイズを変更するドットサイズ調整処理を実行する、印刷装置。
【請求項２】
印刷装置であって、
顔料インクを吐出する顔料インクノズルが所定のノズルピッチで配列されている顔料インクノズル列と、
染料インクを吐出する染料インクノズルが所定のノズルピッチで、前記顔料インクノズル列に並列に配列されている染料インクノズル列と、
を有し、前記顔料インクノズル列と前記染料インクノズル列の列方向と交差する第１と第２の方向に往復移動する印刷ヘッドと、
前記顔料インクノズルと前記染料インクノズルから吐出されるインク量を制御することによって、前記顔料インクドットと前記染料インクドットのサイズを制御する印刷ヘッド制御部と、
を備え、
前記顔料インクノズル列と前記染料インクノズル列とは、前記印刷ヘッドにおいて、前記顔料インクノズル列を第１の方向側とし、前記染料インクノズル列を前記第２の方向側として配置され、
前記印刷ヘッド制御部は、
前記印刷ヘッドを前記第１の方向に移動させつつ、前記顔料インクノズルに前記顔料インクの吐出によって顔料インクドットを形成させた後に、前記染料インクノズルからの前記料インクの吐出によって、前記顔料インクドットと隣り合う染料インクドットを形成させることにより、互いに隣り合う顔料インクのドット列と染料インクのドット列とを形成させる第１の印刷処理と、
前記印刷ヘッドを前記第２の方向に移動させつつ、前記染料インクノズルからの前記染料インクの吐出によって染料インクドットを形成させた後に、前記顔料インクノズルからの前記顔料インクの吐出によって、前記染料インクドットと隣り合う顔料インクドットを形成させることにより、互いに隣り合う染料インクのドット列と顔料インクのドット列とを形成させる第２の印刷処理と、
を交互に実行して、前記第１と第２の印刷処理のそれぞれによって形成される第１と第２の印刷画像領域を含む印刷画像を印刷媒体に形成し、
前記印刷ヘッド制御部は、前記第１または第２の印刷処理において前記顔料インクまたは前記染料インクのうちのいずれか一方のインクの吐出によって形成される第１種のインクドットと、他方のインクの吐出によって前記第１種のインクドットに隣り合う位置に形成される第２種のインクドットと、について、前記第１または第２の印刷処理において前記印刷媒体に前記第１種のインクドットが形成される前に、前記第１種のインクドットのサイズまたは前記第２種のインクドットのサイズの少なくとも片方に応じて、前記第１種のインクドットのサイズを変更するドットサイズ調整処理を実行する、印刷装置。
【請求項３】
請求項２に記載の印刷装置であって、
前記印刷ヘッドにおいて、前記顔料インクノズルと、前記染料インクノズルとは、前記顔料インクノズル列と前記染料インクノズル列の列方向に交互にオフセットされて配置されている、印刷装置。
【請求項４】
請求項１から３のいずれか一項に記載の印刷装置であって、
前記ドットサイズ調整処理は、前記第１の印刷処理において前記第１種のインクドットが形成される前に実行され、前記第１種のインクドットのサイズまたは前記第２種のインクドットのサイズの少なくとも片方に応じて、前記第１種のインクドットのサイズを小さく変更する処理である、印刷装置。
【請求項５】
請求項１から３のいずれか一項に記載の印刷装置であって、
前記ドットサイズ調整処理は、前記第２の印刷処理において前記第１種のインクドットが形成される前に実行され、前記第１種のインクドットのサイズまたは前記第２種のインクドットのサイズの少なくとも片方に応じて、前記第１種のインクドットのサイズを大きく変更する処理である、印刷装置。
【請求項６】
請求項１から５のいずれか一項に記載の印刷装置であって、
前記ドットサイズ調整処理は、
（ｉ）前記第２種のインクドットのサイズが所定のサイズより小さい場合には、前記第１種のインクドットのサイズを変更せず、
（ｉｉ）前記第２種のインクドットのサイズが前記所定のサイズ以上である場合には、前記第１種のインクドットのサイズを変更する処理である、印刷装置。
【請求項７】
請求項１から６のいずれか一項に記載の印刷装置であって、
前記第１種のインクドットは、顔料インクドットであり、
前記第２種のインクドットは、染料インクドットである、印刷装置。
【請求項８】
請求項１から７のいずれか一項に記載の印刷装置であって、
前記ドットサイズ調整処理は、前記印刷媒体の種類に応じて、前記第１種のインクドットのサイズの変更比率、または、閾値である前記所定のサイズ、の少なくとも一方を変更する処理を含む、印刷装置。
【請求項９】
顔料インクを吐出する顔料インクノズルと、染料インクを吐出する染料インクノズルと、を有する印刷装置が、印刷画像を印刷媒体に形成する印刷方法であって、
（ａ）前記顔料インクノズルからの前記顔料インクの吐出によって顔料インクドットを前記印刷媒体に形成させた後に、前記染料インクノズルからの前記染料インクの吐出によって、前記顔料インクドットと隣り合う染料インクドットを前記印刷媒体に形成して、第１の印刷画像領域を形成する第１の印刷処理と、前記染料インクノズルに染料インクドットを前記印刷媒体に形成させた後に、前記顔料インクノズルから、前記染料インクドットと隣り合う顔料インクドットを前記印刷媒体に形成して、第２の印刷画像領域を形成する第２の印刷処理と、を実行する工程を備え、
前記工程（ａ）は、前記第１または第２の印刷処理において前記顔料インクまたは前記染料インクのうちのいずれか一方のインクの吐出によって前記印刷媒体に形成される第１種のインクドットと、他方のインクの吐出によって、前記第１種のインクドットに隣り合う位置に形成される第２種のインクドットと、について、前記第１または第２の印刷処理において前記第１種のインクドットが形成される前に、前記第１種のインクドットのサイズまたは前記第２種のインクドットのサイズの少なくとも片方に応じて、前記第１種のインクドットのサイズを変更するドットサイズ調整処理を実行する工程を含む、印刷方法。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の形態又は適用例として実現することが可能である。
本発明の一実施形態は、印刷装置であって、
顔料インクを吐出して、印刷媒体に顔料インクドットを形成する顔料インクノズルと、
染料インクを吐出して、前記印刷媒体に染料インクドットを形成する染料インクノズルと、
前記顔料インクノズルと前記染料インクノズルから吐出されるインク量を制御することによって、前記顔料インクドットと前記染料インクドットのサイズを制御するインク吐出制御部と、
を備え、
前記インク吐出制御部は、
前記顔料インクノズルから前記顔料インクを吐出させて顔料インクドットを形成させた後に、前記染料インクノズルから前記染料インクを吐出させて、前記顔料インクドットと隣り合う染料インクドットを形成させることにより、互いに隣り合う顔料インクのドット列と染料インクのドット列とを形成させる第１の印刷処理と、
前記染料インクノズルから前記染料インクを吐出させて染料インクドットを形成させた後に、前記顔料インクノズルから前記顔料インクを吐出させて、前記染料インクドットと隣り合う顔料インクドットを形成させることにより、互いに隣り合う染料インクのドット列と顔料インクのドット列とを形成させる第２の印刷処理と、
を実行して、前記第１と第２の印刷処理のそれぞれによって形成される第１と第２の印刷画像領域を含む印刷画像を前記印刷媒体に形成し、
前記インク吐出制御部は、前記第１または第２の印刷処理において前記顔料インクまたは前記染料インクのうちのいずれか一方のインクの吐出によって形成される第１種のインクドットと、他方のインクの吐出によって前記第１種のインクドットに隣り合う位置に形成される第２種のインクドットと、について、前記第１または第２の印刷処理において前記印刷媒体に前記第１種のインクドットが形成される前に、前記第１種のインクドットのサイズまたは前記第２種のインクドットのサイズの少なくとも片方に応じて、前記第１種のインクドットのサイズを変更するドットサイズ調整処理を実行する、印刷装置として実現することができる。
また、本発明の他の実施形態は、印刷装置であって、
顔料インクを吐出する顔料インクノズルが所定のノズルピッチで配列されている顔料インクノズル列と、
染料インクを吐出する染料インクノズルが所定のノズルピッチで、前記顔料インクノズル列に並列に配列されている染料インクノズル列と、
を有し、前記顔料インクノズル列と前記染料インクノズル列の列方向と交差する第１と第２の方向に往復移動する印刷ヘッドと、
前記顔料インクノズルと前記染料インクノズルから吐出されるインク量を制御することによって、前記顔料インクドットと前記染料インクドットのサイズを制御する印刷ヘッド制御部と、
を備え、
前記顔料インクノズル列と前記染料インクノズル列とは、前記印刷ヘッドにおいて、前記顔料インクノズル列を第１の方向側とし、前記染料インクノズル列を前記第２の方向側として配置され、
前記印刷ヘッド制御部は、
前記印刷ヘッドを前記第１の方向に移動させつつ、前記顔料インクノズルからの前記顔料インクの吐出によって顔料インクドットを形成させた後に、前記染料インクノズルからの前記料インクの吐出によって、前記顔料インクドットと隣り合う染料インクドットを形成させることにより、互いに隣り合う顔料インクのドット列と染料インクのドット列とを形成させる第１の印刷処理と、
前記印刷ヘッドを前記第２の方向に移動させつつ、前記染料インクノズルからの前記染料インクの吐出によって染料インクドットを形成させた後に、前記顔料インクノズルからの前記顔料インクの吐出によって、前記染料インクドットと隣り合う顔料インクドットを形成させることにより、互いに隣り合う染料インクのドット列と顔料インクのドット列とを形成させる第２の印刷処理と、
を交互に実行して、前記第１と第２の印刷処理のそれぞれによって形成される第１と第２の印刷画像領域を含む印刷画像を印刷媒体に形成し、
前記印刷ヘッド制御部は、前記第１または第２の印刷処理において前記顔料インクまたは前記染料インクのうちのいずれか一方のインクの吐出によって形成される第１種のインクドットと、他方のインクの吐出によって前記第１種のインクドットに隣り合う位置に形成される第２種のインクドットと、について、前記第１または第２の印刷処理において前記印刷媒体に前記第１種のインクドットが形成される前に、前記第１種のインクドットのサイズまたは前記第２種のインクドットのサイズの少なくとも片方に応じて、前記第１種のインクドットのサイズを変更するドットサイズ調整処理を実行する、印刷装置として実現することができる。